(57)【特許請求の範囲】
【請求項１】
有線回線に接続する有線インタフェース回路と、無線回線に接続する無線インタフェース回路と、前記有線インタフェース回路と前記無線インタフェース回路とを選択するインタフェース選択回路とを有して、端末装置と有線又は無線回線を介して接続するデータ通信装置であって、
前記有線インタフェース回路を介して前記端末装置から受けた電圧が所定の絶対値より低いか否かを判断する電圧比較手段と、
複数の前記電圧比較手段がいずれも所定の絶対値よりも低いと判断したとき、無効電圧検出信号を発生する信号発生手段と、
前記信号発生手段が発生した無効電圧検出信号がオンであることを検出すると、送受信可能状態の回路を前記有線インタフェース回路から前記無線インタフェース回路へ前記インタフェース選択回路で切り換え、前記信号発生手段が発生した無効電圧検出信号がオンからオフになったことを検出すると、送受信可能状態の回路を前記無線インタフェース回路から前記有線インタフェース回路へ前記インタフェース選択回路で切り換える入出力制御手段とを有することを特徴とするデータ通信装置。
【請求項２】
請求項１に記載のデータ通信装置であって、
複数の前記電圧比較手段は、前記端末装置から送信信号を受信して前記インタフェース選択回路に送信入力信号を発信する第１の受信回路と、前記端末装置から送信要求信号又は端末レディ信号を受信して調歩同期回路に送信要求入力信号又は端末レディ入力信号を発信する第２の受信回路とにそれぞれ具備されることを特徴とするデータ通信装置。
【発明の詳細な説明】
【０００１】
【発明の属する技術分野】
本発明はデータ通信装置インタフェース切替方式に関する。
【０００２】
【従来の技術】
従来、端末装置とデータ通信装置との間の高速でデータ通信を行う方法としては、特開平７−２３５９６４号公報がある。
【０００３】
【発明が解決しようとする課題】
従来は、様々な通信装置の間のデータ送信及び受信の速度を増大するハードウェアとを組み合わせたインタフェースを得るものであったが、物理インタフーェスの切替については、考慮されていなかった。
【０００４】
本発明の目的は、端末装置とデータ通信装置との間の物理インタフェースを自動的に切り替えることにある。
【０００５】
【課題を解決するための手段】上記目的を達成するために、有線インタフェース回路を介して端末装置から受けた電圧が所定の絶対値より低いか否かを判断する電圧比較手段を設け、低いと判断した場合は、無線データ通信インタフェース回路に切り替え、高いと判断した場合は、有線インタフェース回路に自動的に切り替えるようにしたものである。
【０００６】
特に、電圧比較手段が複数あったとき、それらのいずれかもが低いと判断した場合は、無線データ通信インタフェース側に切り換え、それらのいずれかが高いと判断した場合にはデータ通信インタフェース回路を有線インタフェース側に自動的に切り換えるようにしたものである。
【０００７】
【発明の実施の形態】
以下、本発明の一実施の形態を図面を用いて以下詳細に説明する。
【０００８】
図３は、本発明の移動データ通信システムのブロック図を示す。
【０００９】
データ通信装置２０１は、端末装置２０２からの信号をＲＳ−２３２Ｃインタフェース回路１０１で受け、選択回路１０４を介して、調歩同期回路１０５に接続し、データ処理プロセッサ１０７で処理される。端末装置２０３からは、ＩｒＤＡ送受信回路１０２で受け、ＩｒＤＡ変復調回路１０３から選択回路１０４を介して、調歩同期回路１０５に接続し、データ処理プロセッサ１０７で処理される。選択回路１０４は、入出力制御回路１０６によりＲＳ−２３２Ｃインタフェース回路１０１か、ＩｒＤＡ変復調回路１０３を選択する。携帯電話機２０４からの信号を携帯電話インタフェース回路１１１で受け、携帯電話データ制御回路１１０を介してデータ処理プロセッサ１０７で処理される。
【００１０】
ここで、ＩｒＤＡ（Ｉｎｆｒａｒｅｄ  Ｄａｔｅ  Ａｓｓｏｃｉａｔｉｏｎ)は、赤外線を用いたデータ通信を標準化した団体で、標準化規格としては、通信速度９．６ｋｂｐｓから１１５．２ｋｂｐｓのＩｒＤＡ１．０  ＳＩＲ等がある。
【００１１】
ＲＯＭ１０８は、データ通信装置２０１を制御するプログラム、各種パラメータ等を格納する読み出し専用メモリであり、ＲＡＭ１０９は、各種データを一時格納する書き込み読み出しメモリである。
【００１２】
入出力制御回路１０６は、データ処理プロセッサ１０７から各回路を制御する回路である。
【００１３】
図１は、本発明の移動データ通信装置のＲＳ−２３２Ｃ送受信回路を示し、ＲＳ−２３２Ｃインタフェース回路１０１の内部回路を示す。
【００１４】
受信回路１は、端末装置２０２からの送信信号（ＳＤ）に受信回路１でレシーバ回路９を介して、送信入力信号（ＳＩＮ）として選択回路１０４接続する。送信要求信号（ＲＳ）、端末レディ信号（ＥＲ）についても受信回路２、３を介して送信要求入力信号（ＲＳＩ），端末レディ入力信号（ＥＲＩ）として調歩同期回路１０４で受信処理される。
【００１５】
ドライバ回路４は、調歩同期回路１０４から送信出力（ＳＯＵＴ）信号として、端末装置２０２に受信信号（ＲＤ）として送信する。キャリア受信信号（ＣＤ）、送信許可信号（ＣＳ）、デバイスレディ（ＤＲ）、呼出検知信号（ＣＩ）も同様に調歩同期回路１０４からＣＤＯ，ＣＳＯ，ＤＲＯ，ＲＩＯ信号としてドライバ回路５、６、７、８介して端末装置２０２に送信する。
【００１６】
前記の各受信回路には、入出力制御回路１０６から出力する制御信号（Ｉ／ＦＣＯＮＴ）でレシーバ回路９の受信許可、消費電力低減の制御を行う。各ドライバ回路についても入出力制御回路１０６から出力された制御信号（Ｉ／ＦＣＯＮＴ）で送信許可、消費電力低減の制御を行う。
【００１７】
また、各受信回路には、端末装置２０２からのＲＳ−２３２Ｃインタフェースの無効電圧レベルを検出するために比較回路１０と比較回路１１により＋Ｖｒｅｆと−Ｖｒｅｆの基準電圧により比較し、図１に示すように＋Ｖｒｅｆから−Ｖｒｅｆの範囲内の電圧の時、アンド回路１２で無効電圧として検出する。端末装置２０２のＲＳ−２３２Ｃインタフェースのドライバに電源が供給されていないか、もしくは、ドライバ回路をパワ−ダウン状態にしている場合の出力電圧は、−Ｖｒｅｆ＜無効電圧＜＋Ｖｒｅｆとなり、無効電圧を検出する。（図４ＲＳ−２３２Ｃインタフェース無効電圧レベル参照）端末装置２０２のＲＳ−２３２Ｃインタフェースのドライバ回路が動作している場合の出力電圧は、確定電圧＞｜＋ＶHL｜もしくは、確定電圧＞｜−ＶLL｜となり、無効電圧は、検出されない。不確定電圧は、確定電圧−ＶLLと＋ＶHLの過渡的な電圧領域である。送信要求信号（ＲＳ）と端末レディ信号（ＥＲ）についても受信回路２、３で無効電圧を検出し、アンド回路１３により、端末装置２０２からのＲＳ−２３２Ｃインタフェースの受信信号の無効電圧を検出し、無効電圧検出信号（ＩＮＶＡＬＩＤ）として、入出力制御回路１０６に接続する。
【００１８】
図２は、端末装置２０２のＲＳ−２３２Ｃインタフェースケーブルとドライバ・レシーバ回路の接続を示す。各レシーバ回路２１〜２３を受信許可、消費電力低減の制御、各ドライバ回路２４〜２８を送信許可、消費電力低減の制御を入出力制御回路１０６からのＩ／ＦＣＯＮＴ信号で行い、ケーブル３１に接続する。ケーブル３１がデータ通信装置２０１に接続したことを検知するために、ゲート２９により検知し、ＣＢＬＣＮＴ信号を入出力制御回路１０６に接続することによりデータ処理プロセッサでケーブル３１が接続されたことを認識する。
【００１９】
以下、本発明である端末装置とデータ通信装置との間の物理インタフェースの自動的切り替え方法について説明する。
【００２０】
端末装置２０２が無通信状態で、ＲＳ−２３２Ｃインタフェース信号の電圧レベルすべてオフになると、インタフェース信号の無効電圧を無効電圧検出信号（ＩＮＶＡＬＩＤ）オンを入出力制御回路１０６を介してデータ処理ＣＰＵで検出したとき、入出力制御回路１０６よりＩ／ＦＣＯＮＴ信号によりＲＳ−２３２Ｃインタフェース回路１０１の各レシーバ回路２１〜２３、各ドライバ回路２４〜２８をオフにし、送受信許可、低消費電力状態に制御し、選択回路１０４を入出力制御回路１０６により、ＩｒＤＡ変復調回路１０３側に切り替えることにより、端末装置２０３からの赤外線データを受信するＩｒＤＡ送受信回路１０２の受信回路を受信可能とする。赤外線受信データは、ＩｒＤＡ変復調回路１０３の復調回路、選択回路１０４を介して、調歩同期回路１０５で受信データとして受信し、データ処理プロセッサ１０７で認識し、入出力制御回路１０６のＩ／ＦＣＯＮＴ信号により、ＩｒＤＡ送受信回路１０２の送信回路を送信状態にし、調歩同期回路１０５からＩｒＤＡ変復調回路１０３の変調回路、ＩｒＤＡ送受信回路１０２の送信回路から端末装置２０３に赤外線データを送信する。
【００２１】
次に、端末装置２０２が通信状態になり、ＲＳ−２３２Ｃインタフェース信号のどれかが電圧レベルオンになると、インタフェース信号の無効電圧を無効電圧検出信号（ＩＮＶＡＬＩＤ）オフを入出力制御回路１０６を介してデータ処理プロセッサ１０７で認識したとき、入出力制御回路１０６より選択回路１０４をＲＳ−２３２Ｃインタフェース回路１０１側に切り替え、送信入力（ＳＩＮ）信号を受信できるようにする。端末装置２０２から受信データを受信すると、調歩同期回路１０５で受信データとして受信し、入出力制御回路１０６のＩ／ＦＣＯＮＴ信号によりＲＳ−２３２Ｃインタフェース回路１０１の各レシーバ回路２１〜２３、各ドライバ回路２４〜２８をオンにし、調歩同期回路１０５から送信データ（ＳＯＵＴ）信号を出力し、ドライバ回路４を介して、端末装置２０２に対してＲＤ信号を送信し、端末装置２０２との間でデータ交信する。これにより、ＲＳ−２３２Ｃインタフェースの有線とＩｒＤＡ赤外線光通信の無線を物理インタフェースを自動的に切り替え可能となる。また、ＲＳ−２３２Ｃインタフェース回路１０１に図２のようなケーブル３１を接続した場合についてもＲＳ−２３２Ｃインタフェース接続をケーブル内で接続を折り返すことにより、ゲート回路２９入力がローレベルになり、ＲＳ−２３２Ｃインタフェース接続認識できるため、ＲＳ−２３２Ｃインタフェースの有線とＩｒＤＡ赤外線光通信の無線を物理インタフェースで自動的に切り替え可能となる。
【００２２】
本説明においては、移動通信データ端末装置で説明したが、電話回線に接続してデータ通信するモデム、ＩＳＤＮ回線に接続してデータ通信するターミナルアダプタについても同様に端末装置とのインタフェースの切替に利用できる。
【図面の簡単な説明】
【図１】移動データ通信装置のＲＳ−２３２Ｃ送受信回路図。
【図２】ＲＳ−２３２Ｃインタフェースケーブルとドライバ・レシーバ回路の接続図。
【図３】移動データ通信システムのブロック図。
【図４】ＲＳ−２３２Ｃインタフェース信号の無効電圧レベルを示す図。
【符号の説明】
１〜３…受信回路、            ４〜８…ドライバ回路、
９…レシーバ回路、            １０、１１…比較回路、
１２…アンド回路、              １３…アンド回路、
２１〜２３…レシーバ回路、      ２４〜２８…ドライバ回路、
２９…ゲート回路、              ３０…抵抗、
３１…ＲＳ−２３２Ｃケーブル、
１０１…ＲＳ−２３２Ｃインタフェース回路、
１０２…ＩｒＤＡ受発光回路、    １０３…ＩｒＤＡ変復調回路、
１０４…選択回路、              １０５…調歩同期回路、
１０６…入出力制御回路、        １０７…データ処理プロセッサ、
１０８…ＲＯＭ、                １０９…ＲＡＭ、
１１０…携帯電話データ制御回路、１１１…携帯電話インタフェース回路、
２０１…データ通信装置、        ２０２、２０３…端末装置、
２０４…携帯電話機。
【図１】
0003542277.tif 000002
【図２】
0003542277.tif 000003
【図３】
0003542277.tif 000004
【図４】
0003542277.tif 000005